(57)【特許請求の範囲】
【請求項１】
壁パネルの長手方向が横方向に配置されると共に該長手方向に壁パネルを連続させて建物躯体に取付けられる取付構造に於いて、該躯体の縦方向に下地金物が固定され、該下地金物に取付金具が取付けられており、更に単数の該取付金具に対して複数の壁パネルが取付けられ、
前記下地金物が所定間隔で下地用取付金具を用いて躯体に取付けられており、該下地用取付金具が該下地金物の屋外側に配置され、かつ該下地用取付金具の厚みが前記取付金具の厚みと同寸法であることを特徴とする壁パネルの取付構造。
【請求項２】
前記取付金具が前記下地金物に固着されているかまたはボルト締めされており、該取付金具は該下地金物の屋外側に配置されていることを特徴とした請求項１の壁パネルの取付構造。
【請求項３】
前記取付金具の所定位置に切り欠きまたは、穴が設けられており、該切り欠きまたは穴部で下地金物と溶接するかまたは該切り欠きまたは穴部にボルトを挿通することにより前記下地金物に取付けられていることを特徴とする請求項１乃至２に記載の壁パネルの取付構造。
【請求項４】
壁パネルの長手方向を横方向に配置しかつ該長手方向に該パネルを連続させて建物の躯体に取付ける取付方法に於いて、一方の壁パネルの長手方向の一端側に予め取付金具を取付けておき、かつ前記躯体に固定された下地金物に該取付金具を取付けるとともに、該壁パネルの長手方向の他端側を先に取付けられた他方の壁パネルの一端側の取付金具を介して取付けることを特徴とする壁パネルの取付方法。
【発明の詳細な説明】
【０００１】
【発明の属する技術分野】
本発明は押し出し成形セメント板、軽量気泡コンクリート板（ＡＬＣ）等の壁パネルを柱等の構造躯体に取付ける構造及び取付方法に係り、特に壁パネルの長手方向を水平方向に配置して連続させながら取付ける取付構造及び取付方法に関するものである。
【０００２】
【従来の技術】
従来のこの種の壁パネルの取付構造及び取付方法は、例えば図８に示す構造のものが一般的に実施されていた。
【０００３】
即ち、図８に於いて、１本の柱５１に下地用取付金物５２を突設し、その下地用取付金物５２の両側に夫々下地金物５３、５４を固定し、これ等の下地金物５３，５４にイナズマプレート５５、Ｏボルト５６及びナット５７を介して壁パネル５８，５９を取付けていた。
【０００４】
【発明が解決しようとする課題】
然るに、前述の図８に示す従来の壁パネルの取付構造及び取付方法は、１本の柱５１に対して２本の下地金物５３，５４が必要となるため、それに伴って下地金物５３，５４を形成するピースアングルやイナズマプレート５５等も多数用意しなければならない問題があった。
【０００５】
また、これ等の２本の下地金物５３，５４の取付精度が壁面の精度を左右するために、極めて精度良く取付けなければならない必要があった。従って、施工に使用される材料も多く、これ等を順に取付けるための溶接箇所、ボルト止め箇所も多くなり、作業に要する手間が多く、かつ工期も長くなる等の問題があった。
【０００６】
本発明に係る壁パネルの取付構造及びその取付方法は、前述の従来の多くの問題点に鑑み開発された全く新しい技術であって、特に、躯体の縦方向に固定された１個の下地金物に取付金具を固定し、かつ、この取付金具に複数の壁パネルを取付けて構成するようにした壁パネルの取付構造及び取付方法に関するものである。
【０００７】
【課題を解決するための手段】
本発明に係る壁パネルの取付構造は、前述の従来の問題点を根本的に改善した技術であって、その第１発明の要旨は、壁パネルの長手方向が横方向に配置されると共に該長手方向に壁パネルを連続させて建物躯体に取付けられる取付構造に於いて、該躯体の縦方向に下地金物が固定され、該下地金物に取付金具が取付けられており、更に単数の該取付金具に対して複数の壁パネルが取付けられ、前記下地金物が所定間隔で下地用取付金具を用いて躯体に取付けられており、該下地用取付金具が該下地金物の屋外側に配置され、かつ該下地用取付金具の厚みが前記取付金具の厚みと同寸法であることを特徴とする壁パネルの取付構造である。
【０００８】
前述の第１発明に於いては、躯体の縦方向に下地金物が固定されると共に、この下地金物の屋外側の面に取付金具が取付けられており、更に単数の取付金具に対して複数の壁パネルが取付けられて構成されているので、夫々単数の下地金物及び取付金具に対して複数の壁パネルを取付けることが出来る。従って、構造を簡単にすると共に、取付けに使用される材料を少なくして、施工作業を簡単にすることが出来る。また、前述のように、前記下地金物が所定間隔で下地用取付金具を用いて躯体に取付けられており、該下地用取付金具が該下地金物の屋外側に配置され、かつ該下地用取付金具の厚みが前記取付金具の厚みと同寸法であるために、壁パネルを所定位置に載置した際に、該壁パネル室内側面に前記下地用取付金具と該取付金具が当接し、該パネルと該下地金物との間隔が一定に保たれるため該パネルを安定良く取付けることが出来る。
【０００９】
また、本発明に係る壁パネルの取付構造の第２発明の要旨は、前記取付金具が前記下地金物に固着されているかまたはボルト締めされており、該取付金具は該下地金物の屋外側に配置されていることを特徴とした第１発明の壁パネルの取付構造である。
【００１０】
前述の第２発明に係る壁パネルの取付構造に於いては、前述のように、取付金具が下地金物に固着されているかまたはボルト締めされており、取付金具は下地金物の屋外側に配置されているので、下地金物がアングル材のような場合でも容易に取付け固定することが出来る。
【００１１】
本発明に係る壁パネルの取付構造の第３発明の要旨は、前記取付金具の所定位置に切り欠きまたは、穴が設けられていることを特徴とする第１発明或いは第２発明の壁パネルの取付構造である。
【００１２】
前記第３発明の壁パネルの取付構造に於いては、前記取付金具の所定位置に切り欠きまたは、穴が設けられているために、取付金具を下地金物に取付固定する際に、切り欠き又は穴を用いて長い寸法で溶着して両者の接合を強固にしたり、或いはボルト挿通用の穴にボルトを挿通して取付金具を下地金物に簡単かつ確実に取付け固定することが出来る。
【００１５】
また、本発明に係る壁パネルの取付方法の要旨は、壁パネルの長手方向を横方向に配置しかつ該長手方向に該パネルを連続させて建物の躯体に取付ける取付方法に於いて、一方の壁パネルの長手方向の一端側に予め取付金具を取付けておき、かつ前記躯体に固定された下地金物に該取付金具を取付けるとともに、該壁パネルの長手方向の他端側を先に取付けられた他方の壁パネルの一端側の取付金具を介して取付けることを特徴とする壁パネルの取付方法である。
【００１６】
前述の本発明の壁パネルの取付方法は、壁パネルの長手方向を横方向に配置しかつ該長手方向に該パネルを連続させて建物の躯体に取付ける取付方法に於いて、一方の壁パネルの長手方向の一端側に予め取付金具を取付けておき、かつ前記躯体に固定された下地金物に該取付金具を取付けるとともに、該壁パネルの長手方向の他端側を先に取付けられた他方の壁パネルの一端側の取付金具を介して取付けることによって壁パネルを躯体に取付け固定するので、躯体と壁パネルとの間にボルト締めする空間が無い場合でも、取付作業を極めて容易にすることが出来る。
【００１７】
【発明の実施の形態】
図により本発明に係る壁パネルの取付構造及びその取付方法の一実施例を具体的に説明すると、図１は本発明の第１実施例の取付構造の構成を示す横断面説明図、図２（Ａ），（Ｂ），（Ｃ），（Ｄ），（Ｅ），（Ｆ），（Ｇ）は夫々図１の構成部品の実施例を示す斜視説明図、図３（Ａ），（Ｂ）は夫々第２実施例の取付構造の構成を示す横断面及び縦断面図である。
【００１８】
図４は本発明の第３実施例の取付構造を示す横断面図説明図、図５は本発明の第４実施例の取付構造を示す横断面説明図、図６は本発明の取付方法の一例を示す斜視説明図である。
【００１９】
図７（Ａ），（Ｂ）は夫々下地用取付金物と下地金物及び取付金具との構成例を示す説明図である。
【００２０】
図１及び図２（Ａ），（Ｂ），（Ｃ），（Ｄ），（Ｅ），（Ｆ），（Ｇ）に於いて、１は躯体側の柱であって、その側面には下地用取付金物２を介してアングル材よりなる下地金物３が取付けられている。４は矩形板状の取付金具であって、その長軸のほぼ中央部は該下地金物３に固定されている。
【００２１】
５，６は夫々壁パネルであって、夫々長手方向が横方向に配置されると共に、長手方向に連続されている。これ等の壁パネル５，６は夫々ボルト７、ナット８を介して前記取付金具４の端部に取付固定されている。
【００２２】
前記取付金具４は、図２（Ａ）に示す如く、その長軸のほぼ中央に溶接用の長穴９を穿設し、これによって下地金物３に対する溶接スパンを長くし、かつ下向き溶接を可能とし、更に作業を容易にすると共に、溶接強度を確保することが出来る。或いは図２（Ｂ），（Ｃ），（Ｄ），（Ｅ），（Ｆ）に示す如く、ボルト挿通用の穴１０を取付金具４のほぼ中央に穿設し、取付金具４をボルトによって下地金物３に取付け固定することも出来る。
【００２３】
図２（Ｆ）に於いては、ボルト挿通用の穴１０ａを長穴とし、その中に挿通するボルトを根本が断面角形のものを用いることにより、作業に際する工具を減らして、取付金具４を下地金物３に取付固定することが出来る。また、図２（Ｇ）においては、取付金具４に下地金物３への係止片４ａを設けて、取付金具４の下地金物３への固定度を高めることが出来る。更に、取付金具４は図２（Ｃ）に示す如く断面をコ字形にすることにより該取付金具４自体の強度を高めることが出来る。
【００２４】
取付金具４は、図２（Ｅ）に示す如く中央部に予めボルトを立設しておき、このボルトを用いて取付金具４を下地金物３に取付固定することが出来る。また、図２（Ａ），（Ｂ），（Ｃ），（Ｄ），（Ｅ），（Ｆ），（Ｇ）の夫々の取付金具４の両端部には前記ボルト７を挿通することが出来るボルト穴１１が穿設されている。このボルト穴１１は図２（Ｄ）に例示する如く、切欠溝１１ａで形成することも可能である。
【００２５】
前記図１の実施例に於いては、下地用取付金物２と壁パネル５，６との間には所定の間隙を設けて構成したが、図３（Ａ），（Ｂ）に示す如く、下地用取付金物２を壁パネル５，６の室内側面に直接に当接して構成することが出来る。この場合には、下地用取付金物２の先端当接部と取付金具４とが上下方向に並列されることになり、壁パネル５，６を柱１に取付けた際に下地用取付金物２と取付金具４との室内側面が面一になるように、両者の肉厚は同一に構成されている。
【００２６】
図４に示す如く、柱１と壁パネル５，６との間に於ける隙間ｄが小さい場合には、Ｌ型状の下地用取付金物２の起立フランジ２ａを柱１の側面に取付けると共に、その下地用取付金物２のもう一方のフランジ２ｂを壁パネル５，６に当接し、かつ下地金物３に固定された取付金具４を介して壁パネル５，６を柱１に安定した状態で取付固定することが出来る。
【００２７】
図５に示す実施例は、前記図１の実施例と同様に、Ｕ形状の下地用取付金物２とアングル材よりなる下地金物３とを使用し、取付金具４をボルト１２を介して該下地金物３に取付け、更に取付金具４の両端部に夫々壁パネル５，６をＯボルト７及びナット８を介して取付固定した構造の実施例である。図中１３は耐火目地材、１４はバックアップ材、１５はシーリング材である。
【００２８】
本発明に係る取付構造の施工に当たっては、図６に示す如く、壁パネル５，６の端部に予め取付金具４を取付けておき、柱１に固定された下地金物３に該取付金具４を取り付けることによって、壁パネル５，６を柱１に取付け固定することが出来る。
【００２９】
図６に示す施工方法を実施する場合には、図に例示するように、壁パネル５の端部に取付金具４の片側の端部を予めボルト止めしておき、該取付金具４のほぼ中央部を下地金物３に取付ることによって壁パネル５を柱１に固定し、更に壁パネル５の端縁より突出している取付金具４の他端部に壁パネル６の端部を当接し、この端部を取付金具４にボルト止めすることによって、今度は壁パネル６を壁パネル５と同様に柱１に固定することが出来る
【００３０】
前述の図６に示す施工方法を実施した場合には、例えば前述の図４に示す如く、柱１と壁パネル５との隙間ｄの寸法が極めて小さい場合にも、柱１に隠れる側の壁パネル５の端部に予め取付金具４を先付けしておくことによって、壁パネル５を柱１にスムーズに取付固定することが出来る。
【００３１】
本発明に係る取付構造を施工するに当たっては、図７（Ａ），（Ｂ）に示すような構成とすることが可能である。即ち、図７（Ａ）の場合には柱１にＵ形状のピース材よりなる下地用取付金物２を取付け、かつこの下地用取付金物２の内面側縦方向に帯板状の下地金物３を固定し、この下地金物３に取付金具４を取付けた構造である。従って、この実施例の場合には、下地用取付金物２と取付金具４とが上下方向に同一面で配置されている。
【００３２】
図７（Ｂ）の場合には、アングルピース材よりなるＬ形状の下地用取付金物２を柱１に取付け、かつこの下地用取付金物２の内面側に帯板状の下地金物３を固定し、この下地金物３に取付金具４を取付けた構造である。この実施例の場合にも下地用取付金物２と取付金具４とは上下方向に同一面で配置されている。
【００３３】
【発明の効果】
本発明に係る壁パネルの取付構造及びその取付方法は前述の構成と作用とを有するので、次のような多大な効果を有している。
【００３４】
（Ａ）本発明に於いては、前述のように下地金物に取付金具を取付けると共に、この取付金具に複数の壁パネルを取付けるようにしたので、使用する材料を少なくし、構成を単純にすると共に、施工作業を簡単にして、コストを大巾に低減することが出来る。
【００３５】
（Ｂ）下地金物の室外側に取付金具を取付けたので、下地金物の形状を帯板やアングル材など条件に応じて選択的に採用することが出来る。（Ｃ）取付金具に溶接用の長穴或いはボルト挿通用の穴を設けた場合には、取付金具を下地金物に簡単かつ確実に溶着或いはボルト止めすることが出来、これによって極めて品質的に安定した構造を構成することが出来る。
【００３６】
（Ｄ）前記下地用取付金物と取付金具との肉厚を同一にした場合には、これ等に当接される壁パネルと下地金物との間の寸法が同一に保たれるために、そこに挿入するライナー等を不要とし、壁パネルを躯体側に正確に取付固定することが出来る。
【００３７】
（Ｅ）本発明の取付方法のように、壁パネルに取付金具を予め取付けておくことによって、該取付金具を躯体側に固定された下地金物に取付けて壁パネルを躯体に簡単に取付けることが出来る。（Ｆ）本発明の取付方法を実施することによって、躯体柱と壁パネルとの隙間が極めて小さい場所に於いても、スムーズに施工することが出来る。
【図面の簡単な説明】
【図１】本発明の第１実施例の取付構造の構成を示す横断面説明図である。
【図２】図２（Ａ），（Ｂ），（Ｃ），（Ｄ），（Ｅ），（Ｆ），（Ｇ）は夫々図１の構成部品の実施例を示す斜視説明図である。
【図３】図３（Ａ），（Ｂ）は夫々第２実施例の取付構造の構成を示す横断面及び縦断面図である。
【図４】本発明の第３実施例の取付構造を示す横断面説明図である。
【図５】本発明の第４実施例の取付構造を示す横断面説明図である。
【図６】本発明の取付方法の一例を示す斜視説明図である。
【図７】図７（Ａ），（Ｂ）は夫々下地用取付金物と下地金物及び取付金具との構成例を示す説明図である。
【図８】従来例の壁パネルの取付構造を示す横断面説明図である。
【符号の説明】
１          躯体側の柱
２          下地用取付金物
２ａ，２ｂ  フランジ
３          下地金物
４          取付金具
４ａ        係止片
５、６      壁パネル
７          ボルト
８          ナット
９          溶接用長穴
１０，１０ａ    ボルト挿通用の穴
１１        ボルト穴
１１ａ      切欠溝
１２        ボルト
１３        耐火目地材
１４        バックアップ材
１５        シーリング材
１６        ボルト
１７        根本が断面角形のボルト
５１        柱
５２        下地用取付金物
５３，５４  下地用金物
５５        イナズマプレート
５６        ボルト
５７        ナット
５８，５９  壁パネル
【図１】
0004067194.tif 000002
【図２】
0004067194.tif 000003
【図３】
0004067194.tif 000004
【図４】
0004067194.tif 000005
【図５】
0004067194.tif 000006
【図６】
0004067194.tif 000007
【図７】
0004067194.tif 000008
【図８】
0004067194.tif 000009